(57)【要約】 【課題】  留守番電話機に併設され留守番電話モードに設定されたファクシミリ装置において、留守番電話機から切換える呼出回数を誤設定なく自動設定できるようにする。【解決手段】  ファクシミリ装置９は留守番電話機７への着信呼出信号が呼出回数に達したとき当該留守番電話機７から切換えられるもので、モード設定部１９、擬似呼出信号発生部２１、カウント部２３及び切換制御部２７を有する。モード設定部１９は呼出回数を得るサンプリングモードに一時的に設定する。擬似呼出信号発生部２１はサンプリングモード時に着信呼出信号があったとき、着信呼出信号に似せた擬似呼出信号を留守番電話機７に出力する。カウント部２３は留守番電話機７が擬似呼出信号に応答するまでの擬似呼出信号回数をカウントする。切換制御部２７はカウント回数より大きな回数を上記呼出回数として設定して上記切換えを制御する。【選択図】  図１
2007235881.tif 000002
【特許請求の範囲】
【請求項１】
併設された電話機が優先的に着信するよう電話モード設定されるとともに、着信呼出信号が所定の呼出回数に達したとき当該電話装置から切換えられて応答するファクシミリ装置であって、
前記呼出回数を得るサンプリングモードに当該ファクシミリ装置を一時的に設定するモード設定部と、
前記サンプリングモードが設定され前記着信呼出信号があったとき、前記着信呼出信号に似せた擬似呼出信号を発生して前記電話機側に出力する擬似呼出信号発生部と、
前記電話機が前記擬似呼出信号に対して応答するまでの擬似呼出信号回数をカウントするカウント部と、
前記カウント回数より大きな回数を前記呼出回数として設定し、前記サンプリングモードが解除されたとき、設定された当該呼出回数に基づき前記切換えを制御する切換制御部と、
を具備することを特徴とするファクシミリ装置。
【請求項２】
前記サンプリングモードが設定されたとき、前記電話機に優先して着信するよう設定されてなる請求項１記載のファクシミリ装置。
【請求項３】
前記切換制御部は、前記電話機が前記擬似呼出信号に対して応答しないとき、予め設定されたカウント回数を前記呼出回数として設定するよう形成された請求項１又は２記載のファクシミリ装置。
【請求項４】
前記カウント回数は、前記電話機が前記擬似呼出信号に対して応答するまでの複数カウントの平均である請求項１又は２記載のファクシミリ装置。
【発明の詳細な説明】
【技術分野】
【０００１】
本発明はファクシミリ装置に係り、例えば留守番電話機と併設して使用されるファクシミリ装置の改良に関する。
【背景技術】
【０００２】
従来、留守番電話機にファクシミリ装置を併設して使用する場合、一般的に、留守番電話機が先に応答する留守番電話モードに設定するとともに、留守番電話機が応答した後に発呼側端末からのファクシミリ通信を示す信号（ＣＮＧ信号）が検出されると、回線をファクシミリ装置側に切換えてファクシミリ受信ができるよう構成されている。特開昭６１−１５０４５５号公報（特許文献１）はこの種のものである。
【特許文献１】特開昭６１−１５０４５５号公報
【発明の開示】
【発明が解決しようとする課題】
【０００３】
しかしながら、上述した構成では、留守番電話機が先に応答することが前提となっており、留守番電話機が応答するタイミングすなわち留守番電話機からファクシミリ装置への切換えタイミングを、留守番電話機が応答する呼出信号の回数等を考慮してユーザー自身が設定する必要があり、設定が煩雑であるばかりか、誤設定の原因にもなっていた。
【０００４】
本発明はそのような課題を解決するためになされたもので、留守番電話モードにおいて、留守番電話機から切換えるための呼出信号の回数を自動的に設定することが可能で、その設定を簡素化するとともに誤設定を防止したファクシミリ装置の提供を目的とする。
【課題を解決するための手段】
【０００５】
そのような課題を解決するために本発明のファクシミリ装置は、併設された電話機が優先的に着信するよう電話モード設定されるとともに、着信呼出信号が所定の呼出回数に達したとき当該電話装置から切換えられて応答するファクシミリ装置であり、その呼出回数を得るサンプリングモードに当該ファクシミリ装置を一時的に設定するモード設定部と、そのサンプリングモードが設定され着信呼出信号があったときその着信呼出信号に似せた擬似呼出信号を発生して電話機側に出力する擬似呼出信号発生部と、その電話機が擬似呼出信号に対して応答するまでの擬似呼出信号回数をカウントするカウント部と、そのカウント回数より大きな回数を上記呼出回数として設定し、そのサンプリングモードが解除されたとき、設定された当該呼出回数に基づき上記切換えを制御する切換制御部とを具備している。
【０００６】
そして、本発明では、上記サンプリングモードが設定されたとき、電話機に優先して着信するよう構成することが好ましい。
【０００７】
また、本発明では、上記電話機がその擬似呼出信号に対して応答しないとき、予め設定されたカウント回数をその呼出回数として設定するよう上記切換制御部を形成することが可能である。
【０００８】
さらに、本発明では、上記カウント回数として、その電話機が擬似呼出信号に対して応答するまでの複数カウント回の平均にすることが可能である。
【発明の効果】
【０００９】
そのような本発明に係るファクシミリ装置では、着信呼出信号が所定の呼出回数に達したとき当該電話機から切換えられて着信するが、モード設定部にてその呼出回数を得るサンプリングモードに一時的に設定し、そのサンプリングモードが設定され設定され着信呼出信号があったとき擬似呼出信号発生部から着信呼出信号に似せた擬似呼出信号を発生してその電話機に出力し、その電話機が擬似呼出信号に対して応答するまでの擬似呼出信号回数をカウント部でカウントし、その切換制御部にて、そのカウント回数より大きな回数を上記呼出回数として設定するとともに、そのサンプリングモードが解除されたとき、設定された当該呼出回数に基づき上記切換えを制御するから、そのファクシミリ装置が応答するための呼出回数を自動的に設定することが可能である。
【００１０】
その結果、ファクシミリ装置への切換えタイミングの設定が簡素化されるとともに誤設定も防止できる利点がある。
【００１１】
そして、上記サンプリングモードが設定されたとき、その電話機に優先して着信するようファクシミリ装置を設定する構成では、外部回線からの着信によって自動的に設定可能となる利点がある。
【００１２】
また、上記電話機がその擬似呼出信号に対して応答しないとき、予め設定されたカウント回数をその呼出回数として設定するよう上記切換制御部を形成する構成では、電話機がその擬似呼出信号に応答しなくとも、所定の呼出回数を自動的に設定可能で、設定の簡素化および誤設定の防止が可能である。
【００１３】
さらに、上記カウント回数として、その電話機が擬似呼出信号に対して応答するまでの複数カウント回の平均にする構成では、現実の複数回使用に近づけた設定が可能である。
【発明を実施するための最良の形態】
【００１４】
以下、本発明に係るファクシミリ装置の実施の形態を図面を参照して説明する。
【００１５】
図１は、本発明に係るファクシミリ装置を示す概略図である。
【００１６】
図１において、公衆回線１から回路閉結検知部３および回路切換部５を介して留守番電話機７およびファクシミリ装置９が併設されている。なお、回路閉結検知部３および回路切換部５は、図１からも分かるように、ファクシミリ装置９の一部とされるのが一般的である。
【００１７】
回路閉結検知部３は、公衆回線１からの着信有無を検出するとともに、留守番電話機７およびファクシミリ装置９がオフフックされたことを検出して留守番電話機７およびファクシミリ装置９の動作の有無を捕捉するものであり、回路切換部５その他に接続されている。
【００１８】
回路切換部５は、留守番電話機７が優先的に応答する留守番電話モードに設定されている状態では留守番電話機７を公衆回線１に接続維持し、後述するように、留守番電話モード下でファクシミリ装置９に切換えられて着信応答するとき留守番電話機７を公衆回線１から切り離す他、後述する機能を有している。
【００１９】
留守番電話機７は、従来公知のものであり、留守番電話モードによってファクシミリ装置９より先に応答するようになっている。なお、留守番電話機７に限らず一般の通話用電話機等であっても良い。
【００２０】
ファクシミリ装置９は、それら回路閉結検知部３および回路切換部５に加え、回路閉結検知部３を介した着信呼出信号を検出する呼出信号検出部１１やファクシミリ通信目的を示すＣＮＧ信号を検出するＣＮＧ検出部１３、回路切換部５を介した着信信号からデジタル画像データを復調するモデム１５、その画像データを印刷処理する画像処理部１７等、回路閉結検知部３および回路切換部５に接続された基本的構成を有する他、以下の構成を有している。
【００２１】
すなわち、本発明のファクシミリ装置９は、モード設定部１９、擬似呼出信号発生部２１、カウント部２３、記憶部２５およびこれらを制御する切換制御部２７を有している。なお、ファクシミリ装置９中の実線は呼出信号やＣＮＧ信号等のデータラインを、破線は制御信号のラインである。
【００２２】
モード設定部１９は、図示しない操作パネル（指示手段）からの指示に基づき、回路切換部５を切換え制御し、留守番電話機７を回路閉結検知部３から切り離して擬似呼出信号発生部２１側に接続し、留守番電話機７がオフフックされて応答するまでの呼出信号の呼出回数を得るサンプリングモードに当該ファクシミリ装置９を一時的に設定するものである。
【００２３】
なお、サンプリングモードは、一時的にファクシミリ装置９が留守番電話機７に優先して着信するモードでもある。
【００２４】
モード設定部１９は、呼出回数が得られたらサンプリングモードを終了し、回路切換部５を切換え制御して留守番電話機７を回路閉結検知部３に接続して留守番電話モードに設定する機能を有する。
【００２５】
擬似呼出信号発生部２１は、そのサンプリングモードが設定された後、回路閉結検知部３から着信呼出信号があったとき、切換制御部２７の制御の下、公衆回線１からの着信呼出信号（鳴動周期）に似せた擬似呼出信号を発生し、回路切換部５を介して留守番電話機７側に出力するものであり、例えば留守番電話機７の応答（オフフック）が検出されたとき出力を停止する機能を有している。
【００２６】
カウント部２３は、サンプリングモードが設定される前後の通常モードにおいて、切換制御部２７の制御の下、呼出信号検出部１１で検出した呼出信号の回数をカウントするものである。
【００２７】
カウント部２３は、そのサンプリングモードが設定されたとき、切換制御部２７の制御の下、擬似呼出信号発生部２１から留守番電話機７に出力される擬似呼出信号について、留守番電話機７がそれに応答するまでの回数をカウントする機能も有している。
【００２８】
記憶部２５は、切換制御部２７の制御の下、そのカウント回数その他を記憶するとともに、予め呼出信号の回数として初期値例えば２０が設定記憶されている。
【００２９】
切換制御部２７は、通常、公衆回線１から着信があると、カウント部２３を制御して呼出信号検出部１１で検出した呼出信号の回数をカウント開始させるとともに、記憶部２５から初期値としての呼出回数を読出し、カウント回数がその呼出回数に達したとき、回線切換部５を制御して留守番電話機７を公衆回線１から切り離すとともに、ＣＮＧ検出部１３やモデム１５等を回路閉結検知部３に接続制御する機能を有している。この動作は上述した通常モードである。
【００３０】
切換制御部２７は、モード設定部１９によってサンプリングモードが設定されたとき、回線切換部５を制御して留守番電話機７を公衆回線１から切り離して擬似呼出信号発生部２１側に接続するとともに、着信呼出信号があったとき、擬似呼出信号発生部２１から留守団電話機７への擬似呼出信号の回数をカウント開始するよう上記カウント部２３を制御する機能を有している。
【００３１】
切換制御部２７は、留守番電話機７がオフフックされて応答したとき、擬似呼出信号発生部２１からの擬似呼出信号の出力を停止制御する一方、カウント部２３からのカウント回数に基づきこれより大きな回数を上記呼出回数として設定するよう記憶部２５を記憶制御する機能を有している。カウント回数より大きな回数は任意であるが、数回〜１０回程度大きな回数が適当であろう。
【００３２】
このサンプリングモードは、ファクシミリ装置９を新規に設置した時点や任意の時点で実行可能に構成されており、複数回着信すなわち複数カウント回の平均値をカウント回数としても良い。
【００３３】
サンプリングモードが解除されて通常モードに戻った後は、そのカウント回数に基づき設定された呼出回数によって上述した切換えが制御される。
【００３４】
上述した呼出信号検出部１１、ＣＮＧ検出部１３、モデム１５、画像送受信部１７その他のファクシミリ装置９における基本的構成は従来と同様であるから、詳細な説明は省略する。
【００３５】
さらに、上述したファクシミリ装置９において、原稿から読み出した画像データをファクシミリ送信する機能も本発明の要部ではないから説明を省略する。
【００３６】
そして、それらモード設定部１９、カウント部２３、記憶部２５および切換制御部２７の動作は、例えば図示しない種々の演算判断機能を有するＣＰＵ、このＣＰＵの動作プログラムを格納したＲＯＭおよび入出力インターフェースを有するマイクロコンピュータで構成されており、ファクシミリ装置９に搭載した従来機能を担うマイクロコンピュータにて兼用構成可能である。
【００３７】
次に、本発明に係るファクシミリ装置９の動作を図２のフローチャートを参照して説明する。
【００３８】
図２中の符号Ｍ（ステップＳ７）は、ファクシミリ装置９が応答するまでの着信呼出信号の回数であって、予め初期値として大きな回数例えば２０が設定されている。
【００３９】
ファクシミリ装置９においてサンプリングモードが指示されると、ステップＳ１にてサンプリングモードが開始されるとともに着信呼出信号があると、ステップＳ２でカウント回数ｎを「０」にリセットする。
【００４０】
続くステップＳ３では擬似呼出信号を１つ発生し、ステップＳ４ではカウント回数ｎを１ずつカウントアップ「ｎ＋１」してステップＳ５に移り、留守番電話機７（ステップＳ５、Ｓ７では留守電と略称する。）の応答の有無を判別する。
【００４１】
留守番電話機７の応答がなくてステップＳ５がＮＯの場合にはステップＳ３戻ってこれを繰り返す。この繰り返し過程でカウント回数ｎが１ずつカウントアップ「ｎ＋１」されてゆく。
【００４２】
留守番電話機７が応答してステップＳ５がＹＥＳになると、ステップＳ６でカウント回数ｎが記憶されてステップＳ７に移る。なお、カウント回数ｎの平均を算出して記憶するようにしても良い。
【００４３】
ステップＳ７では、呼出回数として初期値Ｍがカウント回数ｎに変更設定され、ステップＳ８でサンプリングモードを終了解除し、続くステップＳ９において留守番電話モード設定完了処理をして終了する。
【００４４】
このように本発明に係るファクシミリ装置９は、留守番電話機７が優先的に応答するよう設定された状態でその留守番電話機７に併設され、呼出回数を得るサンプリングモードに当該ファクシミリ装置９を一時的に設定するモード設定部１９と、そのサンプリングモード下で外部着信呼出信号があったときその外部着信呼出信号に似せた擬似呼出信号を発生して留守番電話機７側に出力する擬似呼出信号発生部２１と、その留守番電話機７が擬似呼出信号に対して応答するまでの擬似呼出信号回数をカウントするカウント部２３と、そのカウント回数より大きな回数を上記呼出回数として設定し、そのサンプリングモードが解除されたとき、設定されたその呼出回数に基づき上記切換えを制御する切換制御部２７とを有する。
【００４５】
そのため、留守番電話機７のオフフック動作に応じたタイミングで留守番電話機７からファクシミリ装置９への切換え呼出回数を自動的にファクシミリ装置９に設定することが可能で、それらの設定が簡単で、誤設定も防止できる。
【００４６】
しかも、留守番電話モードにおいても、一時的に当該ファクシミリ装置９が留守番電話機７に優先して着信するよう設定したサンプリングモード下で、公衆回線１から着信があれば、その呼出回数を自動的に設定できる利点がある。
【００４７】
さらに、その呼出回数として設定するカウント回数が複数回の着信平均であっても良いから、最近の留守番電話７の応答時間にばらつきがあっても、現実の複数回使用に近づけた設定が可能である。
【００４８】
ところで、本発明に係るファクシミリ装置では、そのサンプリングモードが設定されていても、留守番電話機７が擬似呼出信号に対して応答しない場合も予想される。
【００４９】
その場合には、予め設定されたカウント回数を上記呼出回数として設定するよう切換制御部２７を形成しておけば、留守番電話機７がその擬似呼出信号に対して応答しなくとも、所定の呼出回数を自動的に設定可能となり、設定の簡素化および誤設定の防止が可能である。その設定カウント回数は、留守番電話機７が一般的に応答する回数より大きい回数が好ましい。
【００５０】
本発明に係るファクシミリ装置９では、サンプリングモードとして当該ファクシミリ装置９が留守番電話機７に優先して着信するファクシミリ優先モードである必要はなく、単に、擬似呼出信号の回数から呼出回数を得るモードであれば本発明の目的達成が可能である。
【００５１】
なお、本発明に係るファクシミリ装置９は、これ単体に限らず複写機やプリンタの複合機等に広く適用可能である。
【図面の簡単な説明】
【００５２】
【図１】本発明に係るファクシミリ装置の概略構成を示す図である。
【図２】発明に係るファクシミリ装置の動作を説明するフローチャートである。
【符号の説明】
【００５３】
１  公衆回線
３  回路閉結検知部
５  回路切換部
７  留守番電話機（電話機）
９  ファクシミリ装置
１１  呼出信号検出部
１３  ＣＮＧ検出部
１５  モデム
１７  画像処理部
１９  モード設定部
２１  擬似呼出信号発生部
２３  カウント部
２５  記憶部
２７  切換制御部
【図１】
2007235881.tif 000003
【図２】
2007235881.tif 000004